(57)【要約】【課題】外装材を施工した建造物の外壁面に、つる性植物などを這わせる植栽ユニットを容易に施工することができる壁面緑化装置を提供すること。【解決手段】矩形状に形成された一端部および他端部に沿って雄実連結部１ａおよび雌実連結部１ｂが備えられ、前記各連結部を介して外装材１が壁面状に装填される。前記各外装材１の表面側には、前記一端部および他端部に沿って互いに上下に対向するようにして係止溝１ｃ，１ｄが施されている。  外枠を構成するフレーム部材３および当該フレーム部材に内接するようにして取り付けられたメッシュ部材４とからなる植栽ユニット２が用意され、この植栽ユニット２は、外装材１の表面側に形成された前記係止溝１ｃ，１ｄを利用して、外装材１に着脱可能に取り付けられる。【選択図】図２
2013000096.tif 000002
【特許請求の範囲】
【請求項１】
矩形状に形成された一端部および他端部に沿って雄実連結部および雌実連結部が備えられ、前記各連結部を介して壁面状に装填可能になされると共に、前記一端部および他端部の表面側に沿って互いに上下に対向するようにして係止溝が施されてなる外装材と、
前記外装材に施された各係止溝を利用して前記外装材の表面側に着脱可能に取り付けられる外枠を構成するフレーム部材および当該フレーム部材に取り付けられたメッシュ部材とからなる植栽ユニットとを備えたことを特徴とする壁面緑化装置。
【請求項２】
前記外装材に取り付けられた状態の前記植栽ユニットを、外装材に対して一方向に付勢するばね部材が前記フレーム部材に装着されていることを特徴とする請求項１に記載された壁面緑化装置。
【請求項３】
前記植栽ユニットを構成するフレーム部材が、前記外装材の上側の係止溝内に向かってせり上がるのを阻止する上がり止め部材を、前記フレーム部材に装着したことを特徴とする請求項１または請求項２に記載された壁面緑化装置。
【請求項４】
前記植栽ユニットを構成するメッシュ部材が、金属棒を格子状に組み合わせて構成され、前記メッシュ部材に直射光を受けた場合の温度上昇を抑制する塗装が施されていることを特徴とする請求項１ないし請求項３のいずれか１項に記載された壁面緑化装置。
【発明の詳細な説明】
【技術分野】
【０００１】
この発明は、例えば窯業系外装材に代表される建築用外装材の表面側に、例えばつる性植物などを栽培する（這わせる）植栽ユニットを、前記外装材から一定の距離を離して取り付け可能となるように構成した壁面緑化装置に関する。
【背景技術】
【０００２】
地球環境の保護や建造物のデザイン等を考慮して、建造物の壁面緑化が注目されており、特に近年においては都市部を中心として、ヒートアイランド現象の緩和等のために、建造物等の緑化が推奨されている。
この壁面緑化は、建造物等への太陽光および太陽熱の直射を遮断して、空気調和装置の負荷軽減による省エネルギー効果をもたらすばかりでなく、特に近年において問題視されている温室効果ガスの削減に寄与することができる。さらに、大気中の炭酸ガスの吸収などの環境の改善効果をもたらし、建造物等の景観の改善により、都市生活者に癒しの効果を与えることも期待される。
【０００３】
前記した壁面緑化装置については、現状において種々の提案がなされているが、例えば特許文献１に開示された壁面緑化装置によると、セメント成形板と称する壁面材の左右端部に、見切り縁部と称する断面がＬ字状に形成された金属部材が垂直方向に取り付けられ、この見切り縁部を介して格子状（メッシュ状）に成形された植物支持壁と称する部材が、前記セメント成形板に一定の間隔をおいて取り付けた構成が開示されている。
そして、前記植物支持壁を支持するＬ字状の見切り縁部は、長手方向が垂直となるようにセメント成形板に取り付けられると共に、前記セメント成形板の表面にも垂直方向に伸びる突条（凹凸部）が形成された例が示されている。
【先行技術文献】
【特許文献】
【０００４】
【特許文献１】特開２０１０−１６１９９５号公報
【０００５】
前記した特許文献１に開示された壁面緑化装置を施工するにあたっては、先ず矩形状に形成された複数のセメント成形板を壁状に施工し、壁状に施工されたセメント成形板に断面がＬ字状の見切り縁部をそれぞれ垂直方向に取り付け、さらにこの見切り縁部を介して格子状に成形された植物支持壁を、前記セメント成形板の前面に所定の間隔をおいて取り付けるという施工順序が採用されることになる。
【０００６】
ところで、前記したＬ字状の見切り縁部や格子状の植物支持壁は別部材で構成されているために、前記したセメント成形板を壁状に施工した現場において、先ずは前記見切り縁部を前記セメント成形板に対してビス止めもしくはボルト・ナット等を用いて取り付ける作業と、これに続いて見切り縁部に対して前記植物支持壁を同様にボルト・ナット等を用いて取り付ける作業とを別工程で行う必要がある。
このために現場においての作業性が悪く、施工に手間を要し作業能率を向上させることができないという問題を抱えることになる。
【発明の概要】
【発明が解決しようとする課題】
【０００７】
一方、近年における公共施設や戸建住宅等には、意匠および施工性に優れた窯業系外装材（セメント質原料および繊維質原料を用いて板状に成形した外装材）が多用されている。この外装材は、幅が３００〜６００ｍｍ程度、長さが２０００〜３０００ｍｍ程度になされた各種の規格のものが提供されている。
【０００８】
また、前記各外装材には、長さ方向の上縁部に沿って雄実連結部が形成され、また長さ方向の下縁部に沿って雌実連結部が形成されたものが提供されており、下側の外装材の前記雄実連結部に、その上側に施工される外装材の前記雌実連結部が重ね合わされ、これらが建物の下地材に沿って垂直方向に順次積み上げられて全体が壁状となるように施工される。
【０００９】
この発明は、前記した外装材を利用して、当該外装材を施工した建造物の外壁面に、つる性植物などを這わせる植栽ユニットを容易に施工することができる壁面緑化装置を提供しようとするものであり、前記した特許文献に記載の壁面緑化装置が抱える問題点を解消し、植栽ユニットの施工の容易性、メンテナンスの容易性、コストの低減等を実現することができる壁面緑化装置を提供することを課題とするものである。
【課題を解決するための手段】
【００１０】
前記した課題を解決するためになされたこの発明にかかる壁面緑化装置は、矩形状に形成された一端部および他端部に沿って雄実連結部および雌実連結部が備えられ、前記各連結部を介して壁面状に装填可能になされると共に、前記一端部および他端部の表面側に沿って互いに上下に対向するようにして係止溝が施されてなる外装材と、前記外装材に施された各係止溝を利用して前記外装材の表面側に着脱可能に取り付けられる外枠を構成するフレーム部材および当該フレーム部材に取り付けられたメッシュ部材とからなる植栽ユニットとを備えたことを特徴とする。
【００１１】
この場合、前記外装材に取り付けられた状態の植栽ユニットを、外装材に対して一方向に付勢するばね部材を前記フレーム部材に装着した構成とすることが望ましい。
また好ましくは、前記植栽ユニットを構成するフレーム部材が、前記外装材の上側の係止溝内に向かってせり上がるのを阻止する上がり止め部材を、前記フレーム部材に装着した構成が採用される。
【００１２】
一方、前記植栽ユニットを構成するメッシュ部材は、好ましくは金属棒を格子状に組み合わせて構成され、前記メッシュ部材には直射光を受けた場合の温度上昇を抑制する塗装が施されていることが望ましい。
【発明の効果】
【００１３】
前記した構成の壁面緑化装置によると、外枠を構成するフレーム部材および当該フレーム部材に取り付けられたメッシュ部材とにより植栽ユニットが構成され、この植栽ユニットは、外装材の表面側に沿って互いに上下に対向するように形成された係止溝に対して前記フレーム部材の一部が係止されることで、当該外装材に対して所定の間隔をもって取り付けられる。
【００１４】
すなわち、外装材に形成された上側の係止溝に、前記フレーム部材の上端部を挿入し、続いて外装材の下側の係止溝に、フレーム部材の下端部を落とすようにして挿入するいわゆる「上げ落とし」の操作を実行することにより、植栽ユニットを外装材に対して容易に取り付けることができる。また、この逆の操作により外装材から植栽ユニットを容易に取り外すこともできる。
したがって、壁面緑化装置の施工およびメンテナンス等を含む現場においての作業能率を大幅に向上させることができ、施工日程の短縮を図ることができるので、結果として壁面緑化装置のコストダウンにも寄与することができる。
【００１５】
また、外装材に取り付けられた状態の植栽ユニットが、例えば前記外装材から離れる方向に付勢するばね部材を配置したので、外装材に対する植栽ユニットのガタつきを無くすことができる。これにより風圧等を受けて植栽ユニットと外装材との間で騒音等を発生させるなどの問題を回避することができる。
【００１６】
さらに、植栽ユニットを構成するフレーム部材の一部が、前記外装材の上側の係止溝内に向かってせり上がるのを阻止する上がり止め部材が、前記フレーム部材に装着された構成にすることで、外装材から植栽ユニットが不用意に外れるのが抑制され、またつる性植物などがメッシュ部材に這い上ることによる応力を受けて、植栽ユニットが外装材から外れるなどの問題も避けることができる。
【００１７】
加えて、植栽ユニットを構成するメッシュ部材に直射光を受けた場合の温度上昇を抑制する塗装を施した構成にすることで、前記メッシュ部材を這い上る植物に対して、熱的なダメージ与えるのを効果的に抑制することができる。
【図面の簡単な説明】
【００１８】
【図１】一枚の外装材に対して２つの植栽ユニットを取り付けた状態を示す壁面緑化装置の正面図である。
【図２】図１におけるＡ−Ａ線より矢印方向に見た壁面緑化装置の主要部を示す縦断面図である。
【図３】図１におけるＢ−Ｂ線より矢印方向に見た２つの植栽ユニットの隣接部を示した横断面図である。
【図４】植栽ユニットの取り付けに利用されるばね部材の外観構成を示した側面図および正面図である。
【図５】植栽ユニットを構成するメッシュ部材の他の例を示した斜視図である。
【発明を実施するための形態】
【００１９】
この発明にかかる壁面緑化装置について、図に示す実施の形態に基づいて説明する。
図１は、外装材の表面側に植栽ユニットを取り付けた状態を正面図で示したものであり、この外装材１は一例として水平方向の長さが３０００ｍｍ、上下幅が６００ｍｍの矩形状になされ、押し出し加工により偏平状に成形されている。
そして、１枚の外装材１の表面側には、図１に示されているように同一寸法に成形された２つの植栽ユニット２が、長手方向の左右に併設した状態で取り付けられる。
【００２０】
前記植栽ユニット２は、外枠を構成する矩形状のフレーム部材３と、このフレーム部材３に内接するようにして取り付けられたメッシュ部材４より構成している。
前記フレーム部材３には、例えばアルミ素材が利用され、一例として外枠の水平方向の長さが１４５０ｍｍ、上下幅が５３０ｍｍの額縁状に形成されている。
【００２１】
また、前記メッシュ部材４は、直径５ｍｍ程度の金属製の丸棒を格子状に組み合わせて構成され、この金属棒の縦横方向の各端部が、額縁状に形成された前記フレーム部材３に覆われるようにして取り付けられ、このメッシュ部材４とフレーム部材３とにより植栽ユニット２を構成している。
なお、前記メッシュ部材４は、一例として図１に示す縦方向に配列された金属棒の各間隔が２００ｍｍ程度になされ、横方向に配列された金属棒の各間隔が１５０ｍｍ程度になされている。
【００２２】
図２は、前記した外装材１の表面側に、前記植栽ユニット２が取り付けられた状態を断面図で示したものである。この外装材１は、前記した押し出し加工により成形される際に、上側の一端部（長手方向の上縁部）に沿って凸状の雄実連結部１ａが形成され、下側の他端部（長手方向の下縁部）に沿って凹状の雌実連結部１ｂが形成されている。
すなわち、前記外装材１は上下に成形された雄実連結部１ａおよび雌実連結部１ｂを利用して、図２には示されていないが、外装材１の左側に位置する建造物の下地材に沿って、順次垂直方向に積み上げられ、全体が壁状となるように施工される。
【００２３】
また、前記外装材１の表面側には、前記した押し出し加工により、長手方向の上縁部および下縁部に沿って、互いに上下に対向するようにして係止溝が施されている。なお、図２において上側の係止溝を符号１ｃで示し、下側の係止溝を符号１ｄで示している。
すなわち、互いに上下に対向するようにして施された係止溝１ｃ，１ｄを利用して、前記した植栽ユニット２が外装材１に対して着脱可能に取り付けられている。
そして、垂直方向に順次積み上げられて壁状に形成された各外装材１に対して、前記植栽ユニット２が選択的に取り付けられることによって、壁面緑化装置が構成される。
【００２４】
この実施の形態においては、図２に示すように外装材１に施された係止溝１ｃ，１ｄには、この係止溝に沿ってそれぞれ断面がＵ字状に形成された補強金具５ａ，５ｂが取り付けられている。これは窯業系の外装材１は、もろい性質があるために植栽ユニット２の取り付け操作時等において、係止溝１ｃ，１ｄの一部が欠けるなどの損傷を受けるのを防ぐために用いられる。
【００２５】
前記外装材１に取り付けられる植栽ユニット２を構成するフレーム部材３は、前記したとおりアルミ素材により額縁状に形成されており、その上下辺のフレーム部材３Ａ，３Ｂには、図２に示したとおり平面状の係止片がそれぞれ上下に向いて形成されている。
すなわち、上側辺を構成するフレーム部材３Ａには、平面状の上向き係止片３ａが一体に形成されており、下側辺を構成するフレーム部材３Ｂには、平面状の下向き係止片３ｂが一体に形成されている。
【００２６】
この平面状の上向き係止片３ａおよび下向き係止片３ｂは、前記外装材１に形成された上側および下側の係止溝１ｃ，１ｄに挿入されて前記植栽ユニット２を支持する機能を果たす。
なお、この実施の形態においては外装材１に施された上下の係止溝１ｃ，１ｄには、前記したとおりＵ字状の補強金具５ａ，５ｂが取り付けられており、したがって前記したフレーム部材３の上向き係止片３ａおよび下向き係止片３ｂは、前記補強金具５ａ，５ｂに係止するようになされる。
【００２７】
額縁状に形成された前記フレーム部材３における上下辺のフレーム部材３Ａ，３Ｂは、図２に示すように断面形状がほぼコ字状となるように成形されて、このコ字状の溝部が上下において互いに向き合うように形成されている。
また、左右辺のフレーム部材３Ｃ，３Ｄは、図３に示すように同様に断面形状がほぼコ字状となるように成形されて、このコ字状の溝部が左右において互いに向き合うように形成されている。
【００２８】
そして、前記上下辺のフレーム部材３Ａ，３Ｂにおける互いに向き合うコ字状の溝部を利用して、前記メッシュ部材４を構成する縦方向に配列された金属棒４ａの上下端部が、前記溝部内に挿入されて取り付けられている。
また、前記左右辺のフレーム部材３Ｃ，３Ｄにおける互いに向き合うコ字状の溝部を利用して、前記メッシュ部材４を構成する横方向に配列された金属棒４ｂの左右端部が、同様に前記溝部内に挿入されて取り付けられている。
【００２９】
この場合、図２および図３に示したように、メッシュ部材４を構成する各金属棒４ａ，４ｂの端部には、樹脂製のスリーブ６が嵌め込まれて取り付けられ、縦横方向の各金属棒４ａ，４ｂと上下左右辺のフレーム部材３との間で隙間（遊び）が生じないように構成されている。
なお、前記メッシュ部材４を構成する縦横の各金属棒４ａ，４ｂは、予め溶接等の手段により格子状に組み合わせて一体に結合され、この状態で前記フレーム部材３に取り付けるようにすることが望ましい。
【００３０】
前記したメッシュ部材４およびフレーム部材３からなる植栽ユニット２は、図２に示したように上下辺のフレーム部材３Ａ，３Ｂに形成された上向き係止片３ａおよび下向き係止片３ｂを利用して、外装材１に取り付けられる。
この場合、フレーム部材３の上向き係止片３ａおよび下向き係止片３ｂには、金属板により成形されたばね部材７がそれぞれ取り付けられる。
【００３１】
図４は、前記ばね部材７の外観構成を示したものである。このばね部材７には、図４（Ａ）に示すようにその一端に屈曲部７ａが形成され、図４（Ｂ）に示すように前記屈曲部７ａの部分の幅が広く形成されている。
【００３２】
そして、ばね部材７の中央部は、図４（Ａ）に示すように湾曲部７ｂになされ、この湾曲部７ｂがばねの機能を果たす。なお、前記湾曲部７ｂの幅は前記屈曲部７ａ部分の幅より狭く形成されており、これにより図４（Ｂ）に示すように、ばね部材７の全体はＴ字状に形成されている。
このばね部材７は、図２に示されているように、上下辺のフレーム部材３Ａ，３Ｂに形成された上向き係止片３ａおよび下向き係止片３ｂに、前記屈曲部７ａが嵌まり込んで取り付けられる。
【００３３】
この状態で、先ず外装材１の上側の係止溝１ｃに、前記ばね部材７と共にフレーム部材３Ａに形成された上向き係止片３ａを挿入し、続いて外装材１の下側の係止溝１ｄに、前記ばね部材７と共にフレーム部材３Ｂに形成された下向き係止片３ｂを挿入する。
そして、前記植栽ユニット２のフレーム部材３を、自重により外装材１の下側の係止溝１ｄ内に落とし込むようにして挿入するいわゆる「上げ落とし」の操作を実行することで、外装材１の係止溝１ｃ，１ｄに対して植栽ユニット２を容易に取り付けることができる。なお、前記植栽ユニット２を外装材１から取り外す場合には、前記した装着時と逆の操作をすることで植栽ユニット２を容易に外装材１から取り外すことができる。
【００３４】
前記のようにして、外装材１の表面側に植栽ユニット２を取り付ける場合には、前記ばね部材７は、上下のフレーム部材３Ａ，３Ｂを連結する補強用連結材８が配置された位置に装着した状態で行われる。
図２に示すばね部材７の湾曲部７ｂは、原形の状態で示されているが、この湾曲部７ｂのほぼ中央部が外装材１の表面側に当接する。そして、ばね部材７における屈曲部７ａの形成端部とは反対側の端部が、前記補強用連結材８の側面に当接する。これにより、湾曲部７ｂが図に示すよりもやや直線状に延ばされ、これが湾曲しようとする反作用により、植栽ユニット２を一方向に、付勢するように作用する。
【００３５】
すなわち、この実施の形態においては、前記ばね部材７によって植栽ユニット２を外装材１から離れる方向に付勢され、これにより外装材１と植栽ユニット２との間のガタつきを無くし、風圧等を受けてカタカタ等の騒音が発生するのを避けることができる。
なお、前記補強用連結材８は、図２に示すように連結用ビス１１によって、上下辺のフレーム部材３Ａ，３Ｂ間に連結されている。
【００３６】
一方、図２および図３に示すように、上辺を構成する前記フレーム部材３Ａの上面には、Ｌ字状に形成された上がり止め部材９が、位置決め用ビス１２を利用して取り付けられている。この上がり止め部材９の中央部には、図３に示されているように長孔９ｂが形成されており、前記位置決め用ビス１２によって上がり止め部材９は長孔９ｂの長さ方向にスライド可能に取り付けられている。
【００３７】
そして、前記した「上げ落とし」の操作により、外装材１の係止溝１ｃ，１ｄに対して植栽ユニット２を取り付けた後に、前記上がり止め部材９を図２に示すように外装材１側にスライドさせて、位置決め用ビス１２をフレーム部材３Ａに締め付けることにより、上がり止め部材９の立ち上がり部９ａが外装材１の上側係止溝１ｃに取り付けられた補強金具５ａの水平折り曲げ部５ａ１に当接する。
これにより、前記植栽ユニット２を構成するフレーム部材３が、前記外装材１の上側の係止溝１ｃ内に向かってせり上がるのを阻止することができ、外装材１から植栽ユニット２が外れるのを抑制することができる。
【００３８】
斯くして、植栽ユニット２は外装材１の表面側に着脱可能に取り付けられ、この植栽ユニット２を構成する前記メッシュ部材４を利用して、つる性植物などを栽培する（這わせる）ことが可能な壁面緑化装置を提供することができる。
なお、植栽ユニット２を構成する前記メッシュ部材４は縦横方向の金属棒により構成され、太陽の直射光を受けた場合には温度上昇し、メッシュ部材を這い上る植物に対して、熱的なダメージ与える問題がある。
【００３９】
これを避けるために前記メッシュ部材４には、直射日光を受けることによる温度上昇を抑制する塗装が施されていることが望ましい。これに用いる塗料としては一般に赤外線を反射する反射塗料（遮熱塗料）と、熱交換塗料とが提案されているが、望ましくは熱交換塗料が用いられる。
この熱交換塗料は、赤外線による熱エネルギーを蓄熱することなく、熱エネルギーを振動による運動エネルギーに変換して放出する性質を有しており、例えばアルバー工業株式会社（大阪府門真市）より提供されている商品名「タフコートＤ４７」を好適に用いることができる。
【００４０】
図５は、植栽ユニットを構成するメッシュ部材４の他の例を斜視図で示したものである。このメッシュ部材４は、すでに説明した例と同様に、縦方向の金属棒４ａと横方向の金属棒４ｂとを溶接等の手段により格子状に組み合わせて一体に結合される。
加えて、縦横方向の金属棒の各端部４ａ１，４ｂ１は、Ｌ字状および逆Ｌ字状に屈曲されて格子状に組み合わされた中央部分が、各端部４ａ１，４ｂ１に対して一定の奥行きをもって突出するように構成されている。
【００４１】
そして、金属棒の各端部４ａ１，４ｂ１には、図２および図３に示した例と同様に樹脂製のスリーブ６が取り付けられ、額縁状に形成されたフレーム部材３のコ字状の溝部に挿入されて植栽ユニット２が構成される。
なお、図５に示した構成のメッシュ部材４においても、前記した熱交換塗料を塗布することが望ましい。
【００４２】
図５に示すメッシュ部材４を用いた植栽ユニット２によると、格子状に組み合わされた中央のメッシュ部分を、外装材１からより大きく離して配置することができ、つる性植物などを這わせるにあたり、より好適な環境を整えることができる。
【００４３】
以上説明したとおり、この発明に係る壁面緑化装置によると、外装材１の表面側に上下に対向するようにして係止溝１ｃ，１ｄが施され、この外装材の係止溝を利用して植栽ユニット２を着脱可能に取り付けた点に特徴を有するものであり、これにより前記した発明の効果の欄に記載したとおりの作用効果を得ることができる。
【符号の説明】
【００４４】
１          外装材
１ａ        雄実連結部
１ｂ        雌実連結部
１ｃ        上側係止溝
１ｄ        下側係止溝
２          植栽ユニット
３          フレーム部材
３Ａ，３Ｂ  上下フレーム部材
３Ｃ，３Ｄ  左右フレーム部材
３ａ        上向き係止片
３ｂ        下向き係止片
４          メッシュ部材
４ａ        縦方向金属棒
４ｂ        横方向金属棒
５ａ，５ｂ  補強金具
６          樹脂製スリーブ
７          ばね部材
８          補強用連結材
９          上がり止め部材
９ａ        立ち上がり部
９ｂ        長孔
１１        連結用ビス
１２        位置決め用ビス
【図１】
2013000096.tif 000003
【図２】
2013000096.tif 000004
【図３】
2013000096.tif 000005
【図４】
2013000096.tif 000006
【図５】
2013000096.tif 000007